(57)【要約】【課題】本発明は、加湿装置に関するもので、運転初期の臭気発生を抑制することを目的とする。【解決手段】そして、この目的を達成するために本発明は、本体ケース１内の加湿体８から排気口３までの送風通路に、除菌手段１２を設けるとともに、この除菌手段１２を前記制御部１３に接続し、この制御部１３は、運転初期の臭気低減モードとして、前記除菌手段１２に通電するとともに、前記送風ファン１０を逆回転させる構成とした。  このため、運転初期には、送風ファン１０の逆回転による送風で、除菌手段１２による除菌物質が加湿体８へと供給され、この結果として、加湿体８での除菌が行われることになる。【選択図】図２
2015090238.tif 000002
【特許請求の範囲】
【請求項１】
吸気口、排気口を有する本体ケースと、この本体ケース内に設けられた加湿体と、この加湿体に水を供給する水供給手段と、前記吸気口から本体ケース内に吸い込んだ空気を、前記加湿体に接触させた後に、排気口から本体ケース外に排出する送風ファンと、この送風ファンに接続された制御部とを備え、前記本体ケース内の加湿体から排気口までの送風通路に、除菌手段を設けるとともに、この除菌手段を前記制御部に接続し、この制御部は、運転初期の臭気低減モードとして、前記除菌手段に通電するとともに、前記送風ファンを逆回転させる構成とした加湿装置。
【請求項２】
加湿体と排気口間に、直流駆動の送風ファンを設けた請求項１に記載の加湿装置。
【請求項３】
送風ファンとして、斜流ファンを用いた請求項１、または２に記載の加湿装置。
【請求項４】
制御部は、運転停止期間が、所定時間を超えている場合に、運転初期に、臭気低減モードを実行する構成とした請求項１〜３のいずれか一つに記載の加湿装置。
【請求項５】
制御部に表示部を接続し、制御部は、臭気低減モード実行時には、この表示部により臭気低減モードの実行を表示させる構成とした請求項１〜４のいずれか一つに記載の加湿装置。
【請求項６】
制御部は、臭気低減モード実行時には、表示部を赤色点灯させ、臭気低減モードの実行後には、表示部を緑色点灯させ表示させる構成とした請求項５に記載の加湿装置。
【発明の詳細な説明】
【技術分野】
【０００１】
本発明は、加湿体から水分を蒸発させて加湿を行う加湿装置に関するものである。
【背景技術】
【０００２】
従来のこの種、加湿装置の構成は、以下のようになっていた。
【０００３】
すなわち、吸気口、排気口を有する本体ケースと、この本体ケース内に設けられた加湿体と、この加湿体に水を供給する水供給手段と、前記吸気口から本体ケース内に吸い込んだ空気を、前記加湿体に接触させた後に、排気口から本体ケース外に排出する送風ファンと、この送風ファンに接続された制御部とを備えた構成となっていた。
【０００４】
また、加湿体に供給される水に菌が繁殖するのを防止するために、加湿時には、放電処理部で発生させた活性種を水面側へ供給するものもある（例えば下記特許文献１）。
【先行技術文献】
【特許文献】
【０００５】
【特許文献１】特開２００９−１４８３０５号公報
【発明の概要】
【発明が解決しようとする課題】
【０００６】
上記従来例では、加湿運転時には、放電処理部で発生させた活性種を水面側へ供給しているので、菌の発生を抑制することは期待できる。
【０００７】
しかしながら、長らく加湿運転を行っていない状態で、加湿運転を開始させると、加湿体等に繁殖している菌に起因する臭気を直ちには消し去ることはできず、この結果として、運転初期の臭気が問題となることがある。
【０００８】
そこで、本発明は、運転初期の臭気を抑制することを目的とするものである。
【課題を解決するための手段】
【０００９】
そして、この目的を達成するために、本発明は、吸気口、排気口を有する本体ケースと、この本体ケース内に設けられた加湿体と、この加湿体に水を供給する水供給手段と、前記吸気口から本体ケース内に吸い込んだ空気を、前記加湿体に接触させた後に、排気口から本体ケース外に排出する送風ファンと、この送風ファンに接続された制御部とを備え、前記本体ケース内の加湿体から排気口までの送風通路に、除菌手段を設けるとともに、この除菌手段を前記制御部に接続し、この制御部は、臭気低減モードとして、前記除菌手段に通電するとともに、前記送風ファンを逆回転させる構成とし、これにより初期の目的を達成するものである。
【発明の効果】
【００１０】
以上のように本発明は、吸気口、排気口を有する本体ケースと、この本体ケース内に設けられた加湿体と、この加湿体に水を供給する水供給手段と、前記吸気口から本体ケース内に吸い込んだ空気を、前記加湿体に接触させた後に、排気口から本体ケース外に排出する送風ファンと、この送風ファンに接続された制御部とを備え、前記本体ケース内の加湿体から排気口までの送風通路に、除菌手段を設けるとともに、この除菌手段を前記制御部に接続し、この制御部は、運転初期の臭気低減モードとして、前記除菌手段に通電するとともに、前記送風ファンを逆回転させる構成としたので、運転初期の臭気発生を抑制することができる。
【００１１】
すなわち、本発明では、前記本体ケース内の加湿体から排気口までの送風通路に、除菌手段を設けるとともに、この除菌手段を前記制御部に接続し、この制御部は、運転初期の臭気低減モードとして、前記除菌手段に通電するとともに、前記送風ファンを逆回転させる構成とした。
【００１２】
このため、運転初期には、送風ファンの逆回転による送風で、除菌手段による除菌物質が加湿体へと供給され、この結果として、加湿体での除菌が行われることになる。
【００１３】
また、このときには、送風ファンを逆回転させているので、送風ファンによる送風は少なく、その結果として、吸気口、または排気口を介して本体ケース外に流出することが少なく、これにより、運転初期の臭気発生を抑制することができるのである。
【図面の簡単な説明】
【００１４】
【図１】本発明の実施の形態１の加湿装置の斜視図
【図２】同断面図
【図３】同断面図
【図４】同制御ブロック図
【図５】同動作フローチャート
【発明を実施するための形態】
【００１５】
以下、本発明の実施の形態について図面を参照しながら説明する。
【００１６】
（実施の形態１）
図１において、１は箱型の本体ケースで、左側面と背面側には、図２に示す吸気口２、上面には、排気口３、操作部４、表示部５、水タンク６（水供給手段の一例）の装着口７が設けられている。
【００１７】
また、本体ケース１内には、図２のごとく、加湿体８が設けられている。
【００１８】
この加湿体８は、下部が、水皿９内に配置され、上部は上方へと立ち上げられた構成となっている。
【００１９】
つまり、水タンク６内の水が、水皿９内に定水位で供給され、その水を加湿体８が上方へと吸い上げる構成となっているのである。
【００２０】
また、本体ケース１内において、加湿体８と排気口３間には、直流駆動の送風ファン１０を設けている。
【００２１】
この送風ファン１０は、外周に風洞１１を有する斜流ファンであり、これを駆動すると、通常運転では、図２のごとく、吸気口２から本体ケース１内に吸い込んだ空気を、次に多孔性状態の加湿体８を通過させ、このときに、この加湿体８が吸い上げた水を一部蒸発させ、その後、送風ファン１０を経て排気口３へと送風し、これによって、加湿を行うようになっている。
【００２２】
本実施形態の特徴は、前記本体ケース１内の加湿体８から排気口３までの送風通路に、除菌手段１２を設けるとともに、この除菌手段１２を、図４のごとく、制御部１３に接続し、この制御部１３は、運転初期の臭気低減モードとして、前記除菌手段１２に通電するとともに、前記送風ファン１０を逆回転させる構成としたことである。
【００２３】
なお、この図４に示すように、制御部１３には、操作部４、表示部５、送風ファン１０、除菌手段１２を接続している。
【００２４】
以上の構成において、操作部４で加湿運転を開始すると（図５のＳ１）、制御部１３は、運転停止期間（前回の運転停止から今回の運転再開までの時間）が、所定時間（ｔ１で、たとえば１時間）を超えている場合に、運転初期に、表示部５により臭気低減モードの実行を表示させるとともに（図５のＳ２）、臭気低減モードを実行する（図５のＳ３、Ｓ４）。
【００２５】
なお、臭気低減モード実行時には、表示部５は赤色点灯させる。
【００２６】
また、臭気低減モードとは、前記除菌手段１２に通電するとともに、前記送風ファン１０を逆回転させる。
【００２７】
その結果、この運転初期には、送風ファン１０の逆回転による送風で、図３のごとく、排気口３から本体ケース１外の空気が本体ケース１内に吸い込まれ、これが、除菌手段１２による除菌物質（たとえば上記先行文献と同じ活性種）が加湿体８へと供給され、これにより、加湿体８での除菌が行われることになる。
【００２８】
また、このときには、送風ファン１０を逆回転させているので、送風ファン１０による送風は少なく、その結果として、吸気口２、または排気口３を介して本体ケース１外に流出することが少なく、これにより、運転初期の臭気発生を抑制することができるのである。
【００２９】
このような、除菌は、たとえば３分（ｔ２）実行され（図５のＳ５）、この３分が経過すると、表示部５を緑色表示に変更して、臭気低減モード実行完了を知らしめるとともに（図５のＳ６）、送風ファン１０を正回転させる（図５のＳ７）。
【００３０】
すなわち、図２のごとく、吸気口２から本体ケース１内に吸い込んだ空気を、次に多孔性状態の加湿体８を通過させ、このときに、この加湿体８が吸い上げた水を一部蒸発させ、その後、送風ファン１０を経て排気口３へと送風し、これによって、加湿を行うのである。
【００３１】
以上のごとく、本実施形態では、本体ケース１内の加湿体８から排気口３までの送風通路に、除菌手段１２を設けるとともに、この除菌手段１２を前記制御部１３に接続し、この制御部１３は、運転初期の臭気低減モードとして、前記除菌手段１２に通電するとともに、前記送風ファン１０を逆回転させる構成とした。
【００３２】
このため、運転初期には、送風ファン１０の逆回転による送風で、除菌手段１２による除菌物質が加湿体８へと供給され、この結果として、加湿体８での除菌が行われることになる。
【００３３】
また、このときには、送風ファン１０を逆回転させているので、送風ファン１０による送風は少なく、その結果として、吸気口２、または排気口３を介して本体ケース１外に流出することが少なく、これにより、運転初期の臭気発生を抑制することができるのである。
【産業上の利用可能性】
【００３４】
以上のように本発明は、本体ケース内の加湿体から排気口までの送風通路に、除菌手段を設けるとともに、この除菌手段を前記制御部に接続し、この制御部は、運転初期の臭気低減モードとして、前記除菌手段に通電するとともに、前記送風ファンを逆回転させる構成とした。
【００３５】
このため、運転初期には、送風ファンの逆回転による送風で、除菌手段による除菌物質が加湿体へと供給され、この結果として、加湿体での除菌が行われることになる。
【００３６】
また、このときには、送風ファンを逆回転させているので、送風ファンによる送風は少なく、その結果として、吸気口、または排気口を介して本体ケース外に流出することが少なく、これにより、運転初期の臭気発生を抑制することができるのである。
【００３７】
したがって、加湿装置として活用される。
【符号の説明】
【００３８】
１  本体ケース
２  吸気口
３  排気口
４  操作部
５  表示部
６  水タンク
７  装着口
８  加湿体
９  水皿
１０  送風ファン
１１  風洞
１２  除菌手段
１３  制御部
【図１】
2015090238.tif 000003
【図２】
2015090238.tif 000004
【図３】
2015090238.tif 000005
【図４】
2015090238.tif 000006
【図５】
2015090238.tif 000007